(57)【要約】【課題】  保冷材を使用する場合に、常に心地良い冷たさが得られる保冷材カバーを提供することを目的とする。【解決手段】  内部に保冷材を収納する収納部２を複数段設け、該収納部２の開口部３は、一方側に向かって低くなるように段差状になっていることを特徴とする。また、立体構造を有する生地５から形成していることを特徴とする。【選択図】      図１（ａ）（ｂ）
2006181177.tif 000002
【特許請求の範囲】
【請求項１】
内部に保冷材を収納する収納部（２）を複数段設けていることを特徴とする保冷材カバー。
【請求項２】
前記収納部（２）の開口部（３）は、一方側に向かって低くなるように段差状になっていることを特徴とする請求項１記載の保冷材カバー。
【請求項３】
立体構造を有する生地（５）から形成していることを特徴とする請求項１又は２記載の保冷材カバー。
【発明の詳細な説明】
【技術分野】
【０００１】
本発明は、内部に保冷材を収納する保冷材カバーに関するものである。
【背景技術】
【０００２】
従来、保冷材とは凍結させて使用する場合が多く、その主な用途は、発熱時や夏場等の暑くて寝苦しい時等に冷却枕として使用したり、頭痛・歯痛・打撲・捻挫時等の患部の冷却に使用するものであり、実際に使用する場合には、保冷材を収納する専用のカバーがないため、タオル等を巻く等して保冷材を包んでいた。
【発明の開示】
【発明が解決しようとする課題】
【０００３】
しかしながら、タオルの厚みによっては患部が冷え過ぎてしまったり、反対に冷えないといった問題が発生すると共に、タオルが保冷材の表面に発生する結露水を吸収して濡れてしまい、使用中に不快感を抱かなければならなかった。
【０００４】
そこで本発明は、上記事情に鑑みてなされたものであり、保冷材を使用する場合に、常に心地良い冷たさが得られる保冷材カバーを提供することを目的とする。
【課題を解決するための手段】
【０００５】
上記目的を達成するために、本発明のうち請求項１記載の発明は、内部に保冷材を収納する収納部を複数段設けていることを特徴とする。このように構成することにより、保冷材が冷た過ぎる場合には、保冷材を体から離れた収納部に収納し、反対に冷たくない場合には、保冷材を体に近い収納部に収納する等というように、保冷材の収納位置を変更することで、体と保冷材との間の距離を調整することができるので、冷え過ぎたり、反対に冷えなかったりとういうことがなく、適度な冷たさを得ることができる。ここで収納部の設ける個数については、冷たさの微調整を可能にする場合には多数段設ければよく、保冷材カバーが嵩張ることを防ぎたい場合には少数段設ければよく、用途等に応じて適宜変更するものである。
【０００６】
また、保冷材の出し入れを行うための収納部の開口部は、全て面一になるように形成してもよいが、請求項２記載の発明のように、収納部の開口部を一方側に向かって低くなるように段差状にすることが望ましい。このようにすれば、複数ある収納部、特に保冷材カバーの中心部に配置される収納部内への保冷材の出し入れが容易に行うことができ、凍結している保冷材を直接手で持つ時間が短縮されるので手が冷たくならず、作業が迅速に行える。ここで一方側とは、保冷材の出し入れ作業のし易さから外側の方向のことであり、開口部を外側に向かって段差状に低く形成することが望ましい。収納部への保冷材の出し入れをワンタッチ且つ瞬時に行えるように、開口部には、収納部を封するためのファスナーやホック、ボタン等の閉口部材を備えないことが望ましい。この場合は、使用中に保冷材が収納部から外部に出ないように、段差状の開口部を完全に覆うような蓋状のものを保冷材カバーに一体的に形成すればよい。
【０００７】
ここで保冷材カバーの材質については、織物、メリヤス生地、フェルト及び不織布等の生地であれば、特に限定しないが、請求項３記載の発明のように、立体構造を有する生地から形成することが望ましい。このようにすれば、保冷材カバーの通気性が良好となり、保冷材と体との間に空気の層が形成され、適度な冷気が伝わるようになる。また、立体構造がクッション代わりとなって、保冷材が体にソフトに当たり使用感が良好となる。立体構造とは、互いに離間して配置された表地と裏地を連結糸でつないで厚みを持たせた三次元立体であり、その構造としては、例えば孔状、溝状、畝状、格子状や蜂の巣状等の多数の空隙が設けられるものであり、その中でも特に軽量で丈夫なハニカム構造にすることが望ましい。これ以外にも、生地を幾層にも積み重ねて立体的に構成してもよい。また、保冷材の表面に発生する結露水によって生地が濡れるのを防ぐために、保冷材と直接接触する側の生地、例えば生地の裏地等には吸水性に優れた生地を使用することが望ましい。
【発明の効果】
【０００８】
本発明のうち請求項１記載の発明によれば、収納する保冷材と体との間の距離を調整することができるので、冷え過ぎたり、反対に冷たくなかったりとういうことがなく、冷たさを調整しながら常に心地良い適度な冷たさを得ることができる。
【０００９】
本発明のうち請求項２記載の発明によれば、複数ある収納部のそれぞれの内部に保冷材の出し入れが容易に行えるので、冷たさを調整するために保冷材の収納位置を変更する作業等が瞬時に行え、保冷材を持つ手も冷たくならず、作業を効率良く行うことができる。
【００１０】
本発明のうち請求項３記載の発明によれば、保冷材カバーの通気性が良好となり、保冷材と体との間に空気の層が形成され、適度な冷気が伝わるようになるだけでなく、立体構造がクッション代わりとなって、保冷材が体にソフトに当たり使用感が良好となる。
【発明を実施するための最良の形態】
【００１１】
以下、本発明の実施形態を図面に基づいて説明する。
【００１２】
図１（ａ）（ｂ）は本発明の保冷材カバーを示すものであり、図１（ａ）は全体を示す一部を切欠した斜視図であり、図１（ｂ）はＡ−Ａ矢視の断面図である。カバー本体１は内部に保冷材（図示省略）を収納する複数段の収納部２と、各収納部２の開口部３を塞ぐための蓋部４とから構成されている。カバー本体１はハニカム構造の生地５から成り、各部２，４を縫製して一体的に形成してある。
【００１３】
各収納部２の開口部３は、外側に向かって段差状に低く形成してあり、収納部２内への保冷材の出し入れが容易に行えるようになっている。また、各開口部３の裁ち目はバイアステープ６によって縫い包まれている。段差状にする間隔については、保冷材の出し入れが容易に行えるような間隔であり、収納部２内において保冷材を安定に収納するためにも、あまり大きく取りすぎないようにすることが望ましい。
【００１４】
蓋部４は、図２（ａ）（ｂ）に示すように、開口部３の位置が最も高い収納部２（２ａ）の外側の生地を延在させて形成するものであり、その構造は、延在した生地の先端部を複数段ある開口部３側に向かって折り曲げ、その折り曲げた部分の両端部を各収納部２と共に縫製することにより、袋状に形成したものである。蓋部４となる生地の折り曲げる長さは、保冷材を収納部２に確実に収納しておくためにも、複数段の開口部３が完全に覆われて隠れる程度であるが、あまり長くし過ぎると、保冷材の出し入れが行いにくくなるので、適宜長さにすることが望ましい。蓋部４の裁ち目はバイアステープ６によって縫い包まれている。
【００１５】
図３に示すように、カバー本体１を構成するハニカム構造の生地５とは、互いに離間して配置された表地５ａと裏地５ｂとを連結糸５ｃでつないで蜂の巣状の空隙５ｄを多数形成して厚みを持たせたものである。表地５ａと裏地５ｂは、繊維及び／又はプラスチック占有率が１０％〜８０％となるように形成されたものであり、通気性を良好にするためにも各地５ａ，５ｂには、各地５ａ，５ｂに連通するように複数の空隙（図示省略）が設けられている。また裏地５ｂには、保冷材の表面に発生する結露水によって生地が濡れるのを防ぐために、吸水性に優れた素材を使用している。連結糸５ｃは、生地に剛性と厚みを持たせるために剛性の高い素材、例えばポリエステル、ポリアミド、ポリオレフィン等の有機モノフィラメント糸、無機繊維等を挙げることができる。このような生地を用いることにより、保冷材を収納部２内に収納して冷却枕等として使用した際のクッション性が良く、形態安定性にも優れるため、使い心地が非常に良好となる。
【００１６】
次に、保冷材を収納部２内に収納して、例えば冷却枕として使用する場合の使用方法を説明する。冷却枕として使用する場合は、段差状に設けられた収納部２の開口部３側の面を下面にして、その反対側の面を頭を置く上面とするものである。
【００１７】
まず、図２（ａ）に示すような状態になっている蓋部４を、図２（ｂ）に示すように、各開口部３を覆っている蓋部４を裏返して、上面側に袋状の蓋部４が形成されるようにし、複数段の開口部３のそれぞれを開口状態にする。次に、使用者の心地よい適度な冷たさとなる箇所の収納部２内に保冷材を収納する。この場合、保冷材の冷気が大きく伝わって最も冷たくなる箇所が、開口部３の位置の最も高い収納部２（２ａ）であり、開口部３の高さが除々に低くなるにつれて、伝わる冷気も小さくなって冷たさが弱くなる。そして、図２（ａ）に示すように、再び蓋部４を元の位置に戻して開口部３を閉じる。最後に蓋部４のある面を下面になるようにして置き、上面に頭を置くことで、心地良い冷たさで頭を冷却させることができる。蓋部４側を下面にすることで、段差部分が頭に当たらず、使用中に違和感がなく使い心地が良好となる。使用途中で冷たさを変更したい場合でも、上述したような手順でワンタッチ且つ瞬時に変更作業が行えるので、非常に便利である。
【００１８】
尚、本発明で使用する保冷材については、不透水性基材からなる容器内に保冷用媒体を封入して形成された保冷材であれば、凍結する形態のものであってもよいし、凍結しないジェル状のものであってもよく、特に限定するものではない。たとえ容器自体が硬い材質から形成されていたとしても、本発明の保冷材カバーを使用することで体にソフトに当たり、使用感を良好にすることができる。また、保冷材を収納した場合の用途については、冷却枕だけではなく、歯痛や打撲、捻挫時等の患部の冷却に使用することもできる。この場合の使用方法も、上述した方法と全く同じである。
【００１９】
ここで本発明の保冷材カバーは、上記実施形態に限定されるものではなく、例えば蓋部は、ファスナーやホック、マジックテープ(登録商標)等といった閉口部材にしてもよく、また生地については、必ずしも立体構造を有するものでなくてもよく、生地でさえあれば織物、メリヤス生地、フェルト及び不織布等であってもよい。また、生地に立体構造を有する場合は、ハニカム構造だけに限定されるものではなく、例えば連結糸により孔状、溝状、畝状、格子状等の空隙を多数形成した立体構造であってもよいし、複数の生地を積み重ねた立体構造であってもよい。
【図面の簡単な説明】
【００２０】
【図１（ａ）（ｂ）】本発明の保冷材カバーの全体を示す一部を切欠した斜視図と、Ａ−Ａ矢視の断面図を示すものである。
【図２（ａ）（ｂ）】蓋部を拡大して示す斜視図である。
【図３】ハニカム構造の生地の一部を示す断面図である。
【符号の説明】
【００２１】
２  収納部
３  開口部
５  ハニカム構造の生地（生地）
【図１（ａ）（ｂ）】
2006181177.tif 000003
【図２（ａ）（ｂ）】
2006181177.tif 000004
【図３】
2006181177.tif 000005